【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
プロバイダにより提供された所与のデジタル・コンポーネントの送信をトリガする配信パラメータを格納するデジタル・コンポーネント・データベースと、
デジタル・コンポーネントをクライアント・デバイスに送信し、
クライアント・デバイスで提供される所与の電子ドキュメント内の単一のデジタル・コンポーネント・スロット内に提供するのに適した複数のデジタル・コンポーネントの複数の異なる構成を決定するステップと、
前記複数の異なる構成から、最大構成スコアを有し、所与のデジタル・コンポーネントを含む特定の構成を選択するステップと、
前記複数のデジタル・コンポーネントのうち他のデジタル・コンポーネントに及ぼす前記所与のデジタル・コンポーネントのネガティブな影響を定量化するオフセット因子を決定するステップと、
前記オフセット因子の大きさに基づいて前記所与のデジタル・コンポーネントに適用される配信量を増大させるステップを含めて、前記オフセット因子に基づいて前記所与のデジタル・コンポーネントに適用される配信量および前記複数の異なる構成の前記構成の各々における前記複数のデジタル・コンポーネントの各々に適用されるベースライン配信量を最適化するステップと、
前記所与のデジタル・コンポーネントを前記クライアント・デバイスに前記特定の構成で提示させるステップを含めて、配信サーバにより、前記所与のデジタル・コンポーネントに適用される前記配信量に基づいて前記所与のデジタル・コンポーネントを前記クライアント・デバイスに送信するステップと、
を含む動作を実施するデジタル・コンポーネント最適化サーバと、
を備えた、システム。
【請求項２】
前記配信量を最適化するステップは、
前記複数の構成の構成ごとに、
前記コンポーネント最適化サーバにより、（ｉ）前記構成内の前記単一のデジタル・コンポーネント・スロット内に提示するのに適した前記複数のデジタル・コンポーネントの適格性値および（ｉｉ）前記構成内の前記単一のデジタル・コンポーネント・スロット内の前記複数のデジタル・コンポーネントの配置に基づいて合計利益値を計算するステップと、
前記コンポーネント最適化サーバにより、（ｉ）前記選択された構成内の前記単一のデジタル・コンポーネント・スロット内に提示するのに適した前記複数のデジタル・コンポーネントの適格性値および（ｉｉ）前記選択された構成内の前記単一のデジタル・コンポーネント・スロット内の前記複数のデジタル・コンポーネントの配置に基づいて合計利益値を計算するステップと、
前記コンポーネント最適化サーバにより、前記構成に基づく前記合計利益値および前記選択された構成に基づく前記合計利益値の差分を計算するステップと、
前記コンポーネント最適化サーバにより、（ｉ）前記構成における前記デジタル・コンポーネントの各々に適用されたベースライン配信量の重み付き関数、（ｉｉ）前記構成における前記デジタル・コンポーネントの各々に対する対話率、および（ｉｉｉ）前記構成に基づく前記合計利益値および前記選択された構成に基づく前記合計利益値の差分の関数の最大値を計算するステップと、
前記コンポーネント最適化サーバにより、前記構成に対する前記関数の最大値を他の複数の異なる構成の各々に対する前記関数の最大値と比較するステップと、
前記コンポーネント最適化サーバにより前記配信量として、前記複数の異なる構成に対する前記関数の最大値を選択するステップと、
を含む、請求項１に記載のシステム。
【請求項３】
前記ベースライン配信量の前記重み付き関数が、前記構成における前記デジタル・コンポーネントに対する前記対話率を用いて重み付けされる、請求項２に記載のシステム。
【請求項４】
前記構成に基づいて前記合計利益値を計算するステップは、適格なデジタル・コンポーネントの各々に対して、前記構成における前記デジタル・コンポーネントの適格性値および前記デジタル・コンポーネントの対話率の関数を合計するステップを含む、請求項２に記載のシステム。
【請求項５】
前記選択された構成に基づいて前記合計利益値を計算するステップは、適格なデジタル・コンポーネントの各々に対して、前記選択された構成における前記デジタル・コンポーネントの適格性値および前記デジタル・コンポーネントの対話率の関数を合計するステップを含む、請求項２に記載のシステム。
【請求項６】
前記複数の構成の各々は、前記構成に含まれる前記複数のデジタル・コンポーネントの各々に対して、前記構成における前記デジタル・コンポーネントの適格性値および前記デジタル・コンポーネントの対話率の関数を合計するステップに基づいて決定される構成スコアを有する、請求項２に記載のシステム。
【請求項７】
前記デジタル・コンポーネント最適化サーバが、前記コンポーネント最適化サーバにより、前記複数のデジタル・コンポーネントのうち他のデジタル・コンポーネントに及ぼす前記所与のデジタル・コンポーネントのネガティブな影響を定量化する前記オフセット因子は、最大構成スコアを有し前記所与のデジタル・コンポーネントを含む前記特定の構成も前記関数の最大値を提供するとき、ゼロであると判定するステップをさらに含む動作を実施する、請求項２に記載のシステム。
【請求項８】
コンポーネント最適化サーバにより、クライアント・デバイスで提供される所与の電子ドキュメント内の単一のデジタル・コンポーネント・スロット内に提供するのに適した複数のデジタル・コンポーネントの複数の異なる構成を決定するステップと、
前記コンポーネント最適化サーバによりおよび前記複数の異なる構成から、最大構成スコアを有し、所与のデジタル・コンポーネントを含む特定の構成を選択するステップと、
前記コンポーネント最適化サーバにより、前記複数のデジタル・コンポーネントのうち他のデジタル・コンポーネントに及ぼす前記所与のデジタル・コンポーネントのネガティブな影響を定量化するオフセット因子を決定するステップと、
前記オフセット因子の大きさに基づいて前記所与のデジタル・コンポーネントに適用される配信量を増大させるステップを含めて、前記コンポーネント最適化サーバにより、前記オフセット因子と前記複数の異なる構成の前記構成の各々における前記複数のデジタル・コンポーネントの各々に適用されるベースライン配信量とに基づいて、前記所与のデジタル・コンポーネントに適用される配信量を最適化するステップと、
前記所与のデジタル・コンポーネントを前記クライアント・デバイスに前記特定の構成で提示させるステップを含めて、配信サーバにより、前記所与のデジタル・コンポーネントに適用される前記配信量に基づいて前記所与のデジタル・コンポーネントを前記クライアント・デバイスに送信するステップと、
を含む、方法。
【請求項９】
前記配信量を最適化するステップは、
前記複数の構成の構成ごとに、
前記コンポーネント最適化サーバにより、（ｉ）前記構成内の前記単一のデジタル・コンポーネント・スロット内に提示するのに適した前記複数のデジタル・コンポーネントの適格性値および（ｉｉ）前記構成内の前記単一のデジタル・コンポーネント・スロット内の前記複数のデジタル・コンポーネントの配置に基づいて合計利益値を計算するステップと、
前記コンポーネント最適化サーバにより、（ｉ）前記選択された構成内の前記単一のデジタル・コンポーネント・スロット内に提示するのに適した前記複数のデジタル・コンポーネントの適格性値および（ｉｉ）前記選択された構成内の前記単一のデジタル・コンポーネント・スロット内の前記複数のデジタル・コンポーネントの配置に基づいて合計利益値を計算するステップと、
前記コンポーネント最適化サーバにより、前記構成に基づく前記合計利益値および前記選択された構成に基づく前記合計利益値の差分を計算するステップと、
前記コンポーネント最適化サーバにより、（ｉ）前記構成における前記デジタル・コンポーネントの各々に適用されたベースライン配信量の重み付き関数、（ｉｉ）前記構成における前記デジタル・コンポーネントの各々に対する対話率、および（ｉｉｉ）前記構成に基づく前記合計利益値および前記選択された構成に基づく前記合計利益値の差分の関数の最大値を計算するステップと、
前記コンポーネント最適化サーバにより、前記構成に対する前記関数の最大値を他の複数の異なる構成の各々に対する前記関数の最大値と比較するステップと、
前記コンポーネント最適化サーバにより前記配信量として、前記複数の異なる構成に対する前記関数の最大値を選択するステップと、
を含む、請求項８に記載の方法。
【請求項１０】
前記ベースライン配信量の前記重み付き関数は、前記構成における前記所与のデジタル・コンポーネントに対する前記対話率を用いて重み付けされる、請求項９に記載の方法。
【請求項１１】
前記構成に基づいて前記合計利益値を計算するステップは、適格なデジタル・コンポーネントの各々に対して、前記構成における前記デジタル・コンポーネントの適格性値および前記デジタル・コンポーネントの対話率の関数を合計するステップを含む、請求項９に記載の方法。
【請求項１２】
前記選択された構成に基づいて前記合計利益値を計算するステップは、適格なデジタル・コンポーネントの各々に対して、前記選択された構成における前記デジタル・コンポーネントの適格性値および前記デジタル・コンポーネントの対話率の関数を合計するステップを含む、請求項９に記載の方法。
【請求項１３】
前記複数の構成の各々は、前記構成に含まれる前記複数のデジタル・コンポーネントの各々に対して、前記構成における前記デジタル・コンポーネントの適格性値および前記デジタル・コンポーネントの対話率の関数を合計するステップに基づいて決定される構成スコアを有する、請求項９に記載の方法。
【請求項１４】
前記コンポーネント最適化サーバにより、前記複数のデジタル・コンポーネントのうち他のデジタル・コンポーネントに及ぼす前記所与のデジタル・コンポーネントのネガティブな影響を定量化する前記オフセット因子は、最大構成スコアを有し前記所与のデジタル・コンポーネントを含む前記特定の構成も前記関数の最大値を提供するとき、ゼロであると判定するステップをさらに含む、請求項９に記載の方法。
【請求項１５】
１つまたは複数のコンピューティング・デバイスにより実行されたとき、
クライアント・デバイスで提供される所与の電子ドキュメント内の単一のデジタル・コンポーネント・スロット内に提供するのに適した複数のデジタル・コンポーネントの複数の異なる構成を決定するステップと、
前記複数の異なる構成から、最大構成スコアを有し、所与のデジタル・コンポーネントを含む特定の構成を選択するステップと、
前記複数のデジタル・コンポーネントのうち他のデジタル・コンポーネントに及ぼす前記所与のデジタル・コンポーネントのネガティブな影響を定量化するオフセット因子を決定するステップと、
前記オフセット因子の大きさに基づいて前記所与のデジタル・コンポーネントに適用される配信量を増大させるステップを含めて、前記オフセット因子と前記複数の異なる構成の前記構成の各々における前記複数のデジタル・コンポーネントの各々に適用されるベースライン配信量とに基づいて前記所与のデジタル・コンポーネントに適用される配信量を最適化するステップと、
前記所与のデジタル・コンポーネントを前記クライアント・デバイスに前記特定の構成で提示させるステップを含めて、前記所与のデジタル・コンポーネントに適用される前記配信量に基づいて前記所与のデジタル・コンポーネントを前記クライアント・デバイスに送信するステップと、
を含む動作を前記１つまたは複数のコンピューティング・デバイスに実施させる命令を格納した、コンピュータ可読記憶媒体。
【請求項１６】
前記配信量を最適化するステップは、
前記複数の構成の構成ごとに、
コンポーネント最適化サーバにより、（ｉ）前記構成内の前記単一のデジタル・コンポーネント・スロット内に提示するのに適した前記複数のデジタル・コンポーネントの適格性値および（ｉｉ）前記構成内の前記単一のデジタル・コンポーネント・スロット内の前記複数のデジタル・コンポーネントの配置に基づいて合計利益値を計算するステップと、
前記コンポーネント最適化サーバにより、（ｉ）前記選択された構成内の前記単一のデジタル・コンポーネント・スロット内に提示するのに適した前記複数のデジタル・コンポーネントの適格性値および（ｉｉ）前記選択された構成内の前記単一のデジタル・コンポーネント・スロット内の前記複数のデジタル・コンポーネントの配置に基づいて合計利益値を計算するステップと、
前記コンポーネント最適化サーバにより、前記構成に基づく前記合計利益値および前記選択された構成に基づく前記合計利益値の差分を計算するステップと、
前記コンポーネント最適化サーバにより、（ｉ）前記構成における前記デジタル・コンポーネントの各々に適用されたベースライン配信量の重み付き関数、（ｉｉ）前記構成における前記デジタル・コンポーネントの各々に対する対話率、および（ｉｉｉ）前記構成に基づく前記合計利益値および前記選択された構成に基づく前記合計利益値の差分の関数の最大値を計算するステップと、
前記コンポーネント最適化サーバにより、前記構成に対する前記関数の最大値を他の複数の異なる構成の各々に対する前記関数の最大値と比較するステップと、
前記オフセット因子として、前記複数の異なる構成に対する前記関数の最大値を選択するステップと、
を含む、請求項１５に記載のコンピュータ可読記憶媒体。
【請求項１７】
前記ベースライン配信量の前記重み付き関数が、前記構成における前記デジタル・コンポーネントに対する前記対話率を用いて重み付けされる、請求項１６に記載のコンピュータ可読記憶媒体。
【請求項１８】
前記構成に基づいて前記合計利益値を計算するステップは、適格なデジタル・コンポーネントの各々に対して、前記構成における前記デジタル・コンポーネントの適格性値および前記デジタル・コンポーネントの対話率の関数を合計するステップを含む、請求項１６に記載のコンピュータ可読記憶媒体。
【請求項１９】
前記選択された構成に基づいて前記合計利益値を計算するステップは、適格なデジタル・コンポーネントの各々に対して、前記選択された構成における前記デジタル・コンポーネントの適格性値および前記デジタル・コンポーネントの対話率の関数を合計するステップを含む、請求項１６に記載のコンピュータ可読記憶媒体。
【請求項２０】
前記命令は前記１つまたは複数のコンピューティング・デバイスに、前記コンポーネント最適化サーバにより、前記複数のデジタル・コンポーネントのうち他のデジタル・コンポーネントに及ぼす前記所与のデジタル・コンポーネントのネガティブな影響を定量化する前記オフセット因子は、最大構成スコアを有し前記所与のデジタル・コンポーネントを含む前記特定の構成も前記関数の最大値を提供するとき、ゼロであると判定するステップをさらに含む動作を実施させる、請求項１６に記載のコンピュータ可読記憶媒体。